(57)【特許請求の範囲】
【請求項１】
原稿が載置される原稿台と、
前記原稿台に載置される原稿の主走査方向を走査して得られた出力信号に基づき、前記主走査方向の前記原稿のサイズを検出するラインセンサと、
前記原稿台に対して開放した第１の位置と、該第１の位置から閉じ途中の第２の位置とを取り得ることができるように開閉自在に支持され、前記原稿台に載置された原稿を押さえるプラテンカバーと、
前記プラテンカバーが前記第１の位置、前記第２の位置にあることを検出する開閉位置センサと、を備えた原稿読取装置であって、
前記開閉位置センサにより前記プラテンカバーが前記第１の位置にあると検出されたときの前記ラインセンサの１段階目の検出結果と、前記開閉位置センサにより前記プラテンカバーが前記第２の位置にあると検出されたときの前記ラインセンサの２段階目の検出結果とを取得し、前記１段階目の検出結果と前記第２段階目の検出結果を比較し、両者検出結果が反転している場合には、前記１段階目の検出結果をサイズ検出結果とし、両者検出結果が反転していない場合には、前記１段階目および前記２段階目の検出結果の差をサイズ検出結果とした、原稿読取装置。
【請求項２】
前記２段階目の検出結果が、前記位置センサより前記第２の位置にあると検出されたときの検出結果である場合は、前記１段階目の検出結果に対し、前記２段階目の検出結果が反転している否かを判断し、反転している場合は、前記第１段階目の検出結果に基づき原稿サイズを決定した、請求項１記載の原稿読取装置。
【請求項３】
原稿の副走査方向の前記原稿の位置を検出する位置センサを備え、
前記ラインセンサが検出した前記原稿が縦置きか横置きかを前記位置センサにより検出し、前記ラインセンサの検出結果と前記位置センサを合わせて最終的な原稿サイズの検出結果とした、請求項１または２記載の原稿読取装置。
【発明の詳細な説明】
【技術分野】
【０００１】
この発明の実施形態は、デジタル複写機等における原稿サイズを自動で読み取る原稿読取装置に関する。
【背景技術】
【０００２】
従来、自動原稿サイズ検出には、複数の原稿サイズ検出用のセンサを用いた原稿サイズを決定する方式やプラテンカバーの裏に読取用のマークをつけ、そのマークがあるかないかによって原稿の有無を検出する方式が考えられていた。
【０００３】
しかしながら、複数の原稿サイズ検出用のセンサを用いる場合は、センサ分のコストが高くなること、プラテンカバーの裏に読取用のマークをつけて読取る方式は汚れ等により検出精度が悪くなる、という問題があった。
【先行技術文献】
【特許文献】
【０００４】
【特許文献１】特開２００６−６７１７９公報
【発明の概要】
【発明が解決しようとする課題】
【０００５】
この発明が解決しようとする課題は、ハード的な構成の変更なしに、下地が黒色系の原稿や厚い原稿サイズの自動検出も可能な原稿読取装置を提供することである。
【課題を解決するための手段】
【０００６】
実施形態の原稿読取装置は、原稿が載置される原稿台と、前記原稿台に載置される原稿の主走査方向を走査して得られた出力信号に基づき、前記主走査方向の前記原稿のサイズを検出するラインセンサと、前記原稿台に対して開放した第１の位置と、該第１の位置から閉じ途中の第２の位置とを取り得ることができるように開閉自在に支持され、前記原稿台に載置された原稿を押さえるプラテンカバーと、前記プラテンカバーが前記第１の位置、前記第２の位置にあることを検出する開閉位置センサと、を備えた原稿読取装置であって、前記開閉位置センサにより前記プラテンカバーが前記第１の位置にあると検出されたときの前記ラインセンサの１段階目の検出結果と、前記開閉位置センサにより前記プラテンカバーが前記第２の位置にあると検出されたときの前記ラインセンサの２段階目の検出結果とを取得し、前記１段階目の検出結果と前記第２段階目の検出結果を比較し、両者検出結果が反転している場合には、前記１段階目の検出結果をサイズ検出結果とし、両者検出結果が反転していない場合には、前記１段階目および前記２段階目の検出結果の差をサイズ検出結果とした。
【図面の簡単な説明】
【０００７】
【図１】原稿読取装置を備えるデジタル複合機の構成例の概略的な縦断面を示す図である。
【図２】開閉位置センサの斜視図である。
【図３】プラテンカバーの開閉位置と開閉位置センサの関係の説明図である。
【図４】第１および第２のフォトインタラプタの概略的な構成を示す図である。
【図５】プラテンカバーの開閉状態と第１および第２のフォトインタラプタの出力について説明するための図である。
【図６】スキャナの概略的な構成を示す図である。
【図７】コンタクトガラス上方からコンタクトガラス側みた状態の上面図である。
【図８】デジタル複写機が備える電装ブロック図である。
【図９】ラインメモリに格納される複数の読取箇所を、コンタクトガラスや原稿の位置に対応付けて示す模式図である。
【図１０】動作について説明するためのフローチャートである。
【図１１】図１０要部のサブルーチンを示すフローチャートである。
【図１２】通常原稿Ａ４−Ｒの下地が白色系および黒色系の場合におけるサイズ検出結果について説明するための図である。
【図１３】通常原稿Ａの原稿の下地が白色系および黒色系の場合におけるサイズ検出結果について説明するための図である。
【図１４】通常原稿Ｂの下地が白色系および黒色系の場合におけるサイズ検出結果について説明するための図である。
【図１５】ブック原稿Ａ４−Ｒの下地が白色系および黒色系の場合におけるサイズ検出結果について説明するための図である。
【図１６】ブック原稿Ａ４の下地が白色系および黒色系の場合におけるサイズ検出結果について説明するための図である。
【図１７】ブック原稿Ｂ４の下地が白色系および黒色系の場合におけるサイズ検出結果について説明するための図である。
【発明を実施するための形態】
【０００８】
以下、実施形態について、図面を参照しながら詳細に説明する。
【０００９】
（第１の実施形態）
図１は、原稿読取装置を備えるデジタル複合機の構成例を概略的な縦断面を示す図である。
【００１０】
デジタル複写機１００は、原稿を読み取るスキャナ１０と、スキャナ１０から出力される画像データに基づく画像を用紙等の記録媒体に形成するプリンタ５０とを備えている。
【００１１】
スキャナ１０の本体ケースの上面には、原稿が載置されるコンタクトガラス１１が設けられている。原稿Ｄは、原稿面をコンタクトガラス１１に対向させて載置される。コンタクトガラス１１の上側には、当該コンタクトガラス１１上に載置された原稿Ｄを押さえるプラテンカバー１２が開閉自在に設けられている。
【００１２】
プラテンカバー１２の原稿Ｄを押さえる面は、白色若しくは白色に近い色とされている。プラテンカバー１２に対しては、その開閉位置を検出するための開閉位置センサ１３が設けられている。また、コンタクトガラス１１よりもホームポジション側の所定位置には、シェーディング補正データ等を取得するための白色基準板１４が設けられている。
【００１３】
図２は、開閉位置センサ１３の構成を示す斜視図である。開閉位置センサ１３は、プラテンカバー１２の開閉の支軸近傍のデジタル複合機の本体内に支軸１３１が取り付けられている。支軸１３１には、回動部材１３４が回動自在に支持されている。回動部材１３４は、例えばスプリング１３７を用いて白抜きの矢印方向に付勢し、プラテンカバー１２を開放する方向に付勢する状態で支持されている。回動部材１３４は、一体的な可動部１３２とシャッター部１３３から構成されている。シャッター部１３３は、第１のシャッター１３３ａと第２のシャッター１３３ｂから構成されている。
【００１４】
シャッター部１３３は、回動部材１３４の回動に伴い、第１および第２のシャッター１３３ａ，１３３ｂで第１および第２のフォトインタラプタ１３５，１３６をオン・オフ制御できるように配置されている。
【００１５】
なお、第１および第２のフォトインタラプタ１３５，１３６に換えて、同じような光−電気変換手段である、フォトカプラであっても構わない。また、第１および第２のシャッター１３３ａ，１３３ｂに相当する位置に磁石を設け、磁気センサで磁石を検出することによりシャッター部１３４の回動の状態を検出するものであってもよい。要は、第１および第２のシャッター１３３ａ，１３３ｂの位置が検出できればよい。第１および第２のフォトインタラプタ１３５，１３６は、第１および第２の位置センサとなる。
【００１６】
プリンタ５０は、シート状の用紙等の記録媒体Ｐを保持する媒体保持部５１から電子写真方式のプリンタエンジン５２および定着器５３を経由して排出部５４へ至る媒体経路５５を備えている。
【００１７】
プリンタエンジン５２は、帯電器５６、露光器５７、現像器５８、転写器５９およびクリーナ６０等を用いて電子写真方式で感光体６１の表面上に形成されたトナー像を記録媒体Ｐに転写し、転写されたトナー像を、定着器５３によって記録媒体Ｐ上に定着させる。
【００１８】
なお、プリンタエンジン５２は、この実施形態では、電子写真方式で画像形成を行う例を示しているが、これに限定されるものではなく、インクジェット方式、昇華型熱転写方式、直接感熱記録方式等、種々の画像形成方式のものであってもよい。
【００１９】
図３は、プラテンカバー１２の開閉位置と開閉位置センサ１３との関係を示す。図４は、第１および第２のフォトインタラプタ１３５，１３６の概略的な構成例を示す図である。
【００２０】
図３（ａ）に示すプラテンカバー１２が開状態（第１の位置）のときの第１および第２のフォトインタラプタ１３５，１３６のそれぞれの受光素子は、発光素子から発光光を受光できる状態にある。従って、図４に示す第１のフォトインタラプタ１３５の出力は、Ｌレベルで、第２のフォトインタラプタ１３６の出力は、Ｌレベルとなる。
【００２１】
図３（ｂ）に示すプラテンカバー１２が閉じ途中状態（第２の位置）の第１のフォトインタラプタ１３５の受光素子は、第１のシャッター１３３ａで発光素子からの光がシャットされる。第１のフォトインタラプタ１３５の出力は、Ｈレベルとなる。第２のフォトインタラプタ１３６の出力は、Ｌレベルの状態である。
【００２２】
図３（ｃ）に示すプラテンカバー１２が閉状態の第１のフォトインタラプタ１３５の出力は、引き続きＨレベルである。第２のフォトインタラプタ１３６の受光素子は、第２のシャッター１３３ｂで発光素子からの光がシャットされる。第２のフォトインタラプタ１３６の出力は、Ｈレベルとなる。
【００２３】
なお、第１および第２のフォトインタラプタ１３５，１３６の出力は、後述する制御部８２に供給される。
【００２４】
図５は、図３（ａ）〜（ｃ）のプラテンカバー１２の開閉状態における第１および第２のフォトインタラプタ１３５，１３６の出力を表に示したものである。
【００２５】
図６は、スキャナ１０の概略的な構成を示す図で、図７は、コンタクトガラス１１面を上方からみた状態を示す上面図である。
【００２６】
スキャナ１０は、コンタクトガラス１１の下方に配置されている。スキャナ１０は、光を発する光源１０１および第１ミラーＭ１を搭載した第１キャリッジ１０２と、第２，３ミラーＭ２，Ｍ３を搭載した第２キャリッジ１０３とによる露光走査手段１０４や、第１〜第３ミラーＭ１〜Ｍ３によって導かれる原稿Ｄからの反射光を、結像レンズ１０５を介して受光することで、原稿Ｄ上の画像を読み取るラインセンサ１０６が設けられている。ラインセンサ１０６には、例えばＣＣＤイメージセンサが用いられる。
【００２７】
ラインセンサ１０６は、このラインセンサ１０６上に結像される原稿Ｄからの反射光を光電変換した光電変換データ（画像データ）を取得する撮像素子として機能する。光電変換データは、原稿Ｄからの反射光の強弱に応じた大きさを有する電圧値である。第１，第２キャリッジ１０２，１０３は、コンタクトガラス１１に沿って副走査方向（図６中、左右方向）に往復動自在に設けられている。コンタクトガラス１１上に載置された原稿Ｄの読取り処理に際しては、図示しない駆動モータ等の駆動源による駆動によって光路長を常に一定に保つため例えば２：１の速度比で副走査方向にスキャニング走行する。
【００２８】
コンタクトガラス１１と対向する位置に設置した位置センサＡＰＳは、副走査方向の原稿Ｄのサイズを検出するものである。位置センサＡＰＳとしては、例えばＡＰＳ（Active-Pixel Sensor）が用いられる。
【００２９】
図７のＨＰは、原稿がセットされるホームポジションを示している。図７のＡは、ラインセンサ１０６で主走査方向の原稿サイズを検出する場合に、ホームポジションＨＰから副走査移動させながら第１キャリッジ１０２を所定位置まで移動させる距離を示している。原稿サイズの検出は、Ａの位置で行われる。
【００３０】
図８は、デジタル複写機１００が備える電装ブロック図を示す。概略的には、スキャナ１０のコンタクトガラス１１上に原稿Ｄをセットし、操作部８４のスタートスイッチを押下すると、スキャナ１０が原稿Ｄの画像を読み取る。読み取られた画像データは、命令処理部８１内で一連の画像処理を行い、プリンタ５０に画像データを出力し、記録媒体Ｐへの記録動作が行われる。スキャナ１０、命令処理部８１、プリンタ５０内の必要なパラメータは、制御部８２が有するＲＡＭ８３内に保持されており、制御部８２により各デバイスに対する設定が実行される。また、制御部８２には、スキャナ１０が読み取った原稿サイズ情報に基づき、原稿サイズを決定するための参照テーブルを予め記憶したＲＯＭ９０が接続されている。
【００３１】
また、パラメータ設定に必要なモード情報は、操作部８４を使用してユーザが指定できる構成とされており、操作部８４内のＣＰＵ８５と制御部８２との間で通信を行うことで情報の交換を行うように構成されている。８６は、例えば操作部８４中に含まれるタッチパネル方式の表示部である。
【００３２】
命令処理部８１は、スキャナ１０から受け取った原稿Ｄの画像データに対して所望の画像処理を行う。命令処理部８１は、原稿サイズ検出動作を行う場合に画像データを蓄えるために、画像処理モジュール８７に接続されたラインメモリ８８を備える。また、命令処理部８１は、ラインメモリ８８を制御するメモリコントローラ８９を併せ持ち、制御部８２からラインメモリ８８に対して画像データのリード／ライトが可能とされている。
【００３３】
図９は、ラインメモリ１０６に格納されている複数の読み取り箇所を、コンタクトガラス１１や原稿Ｄの位置に対応付けて示す模式図である。
【００３４】
ＰＳ１〜ＰＳ５は、ラインセンサ１０６が主走査方向にコンタクトガラス１１の原稿Ｄの大きさを読み取った検出位置を示している。また、ハッチングで示す丸は、副走査方向の原稿Ｄの大きさを読み取るための位置センサＡＰＳを示している。例えば、ラインセンサ１０６が主走査方向の検出位置ＰＳ５まで原稿サイズを検出した結果に基づき、副走査方向の共通の位置センサＡＰＳとの組み合わせから複数の原稿サイズを検出することができる。
【００３５】
例えばＡ５サイズの原稿を横長（Ａ５−Ｒ）にしてコンタクトガラス１１上に置いた場合は、ラインセンサ１０６が主走査方向の検出位置ＰＳ１を検出し、原稿はＡ５サイズであると判断できる。Ｂ５サイズの原稿を横長（Ｂ５−Ｒ）にして置いた場合は、ラインセンサ１０６が主走査方向の検出位置ＰＳ２を検出し、原稿はＢ５−Ｒであると判断できる。
【００３６】
ラインセンサ１０６が主走査方向の置かれた原稿を検出位置ＰＳ３で検出した場合に置かれた原稿のサイズは、Ａ５あるいはＡ４−Ｒと判断する。同様に、ラインセンサ１０６が原稿を検出位置ＰＳ４で検出した場合に置かれた原稿のサイズは、Ｂ５あるいはＢ４と判断する。ラインセンサ１０６が置かれた原稿を検出位置ＰＳ４で検出した場合に置かれた原稿のサイズは、Ａ４あるいはＡ３と判断する。なお、Ｂ４とＡ３サイズは、大きさから予め横長にすることを決めてあることから、−Ｒを付与しない。
【００３７】
ラインセンサ１０６による原稿サイズの検出は、２段階で行われている。プラテンカバー１２が開いている状態での検出（１段階目）では、光源１０１を照射すると原稿部はプラテンカバー１２よりも明るくなる。これに対し、プラテンカバー１２が閉じ途中での検出（２段階目）で光源１０１を照射すると、プラテンカバー１２より原稿部は１段階目に比べて暗くなる。
【００３８】
この特性を利用し、原稿サイズ検出を２段階に分け、ブック原稿など厚手の原稿のサイズが２段階目の検出時に原稿外のところを原稿有りとの誤検出しまうことを防止しようとするものである。
【００３９】
なお、ラインセンサ１０６が検出した検出位置ＰＳ１〜ＰＳ５の情報は、スキャナ１０の出力として制御部８２に供給する。
【００４０】
そこで、プラテンカバー１２が開いている状態での検出（１段階目）と、厚みのあるブック原稿読取時のプラテンカバー１２の閉じが途中の状態での検出（２段階目）との検証を行い、検出位置ＰＳ１〜ＰＳ５を決定するようにした。
【００４１】
以下、原稿サイズの検出について図１０のフローチャートを参照して説明する。図１０は、開閉位置センサ１３、ラインセンサ１０６それに位置センサＡＰＳの検出結果に基づき、制御部８２による原稿サイズ検出について説明するものである。
【００４２】
ここで、プラテンカバー１２は開けられ、第１キャリッジ１０２の位置は図７のＡに示すサイズ検出位置にあるとしてサイズ検出動作を開始する。
【００４３】
ＡＣＴ１において、制御部８２は、操作部８４からコピーのスタートスイッチがオンされたかを判断する。オンされていない場合（Ｎｏ）は、ＡＣＴ２に移行する。オンされた場合（Ｙｅｓ）は、ＡＣＴ９に移行する。
【００４４】
ＡＣＴ２において、開閉位置センサ１３がプラテンカバー１２の第１の位置を検出する。
【００４５】
すなわち、プラテンカバー１２が開いている状態から、ユーザによりプラテンカバー１２が閉じ動作がなされ、プラテンカバー１２が第１の位置（閉じ途中の位置）に移動すると、開閉位置センサ１３がそれを検出する。この検出後ＡＣＴ３に移行する。
【００４６】
ＡＣＴ３では、１段階目の検出動作を実行する。
【００４７】
すなわち、開閉位置センサ１３がプラテンカバー１２の第１の位置を検出すると光源１０１を点灯し、ラインセンサ１０６からの出力データを得て、それをＲＡＭ８３に記憶する。出力データ記憶後、光源１０１を消灯し、ＡＣＴ４に移行する。
【００４８】
ＡＣＴ４では、操作部８４のスタートスイッチがオンされたか否かを判断する。オンされていない場合（Ｎｏ）は、ＡＣＴ５に移行する。オンされた場合（Ｙｅｓ）は、ＡＣＴ９に移行する。
【００４９】
ＡＣＴ５では、開閉位置センサ１３がプラテンカバー１２の開動作がされたか否かを検出する。
【００５０】
すなわち、プラテンカバー１２が再び開動作して、プラテンカバー１２が第１の位置から再び開けられた否かを検出する。
【００５１】
プラテンカバー１２が第１の位置から再び開けられていないことが検出された場合（Ｎｏ）、すなわちユーザが再び開動作せずにプラテンカバー１２が第１の位置のままの場合は、ＡＣＴ６に移行する。
【００５２】
プラテンカバー１２が第１の位置から再び開けられたことが検出されない場合（Ｙｅｓ）、すなわちユーザが再び開動作して、プラテンカバー１２が第１の位置から再び開けられた場合、ＡＣＴ１に戻る。
【００５３】
ＡＣＴ６では、開閉位置センサ１３がプラテンカバー１２の第２の位置を検出する。ユーザによりプラテンカバー１２の閉じ動作がなされてプラテンカバー１２が第１の位置から第２の位置（閉じ途中の位置）に移動すると、開閉位置センサ１３がそれを検出する。この検出後にＡＣＴ７へ移行する。
【００５４】
ＡＣＴ７では、２段階目の検出動作を実行する。
【００５５】
すなわち、開閉位置センサ１３がプラテンカバー１２の第２の位置を検出してから所定時間後に光源１０１を点灯し、ラインセンサ１０６から出力データを得て、それをＲＡＭ８３に記憶する。出力データ記憶後、光源１０１を消灯し、ＡＣＴ８へ移行する。所定時間後とは、プラテンカバー１２が第２の位置でラインセンサ１０６から出力データを取得するに足りる時間のことである。
【００５６】
ＡＣＴ８では、コンタクトガラス１１上に載置された原稿サイズを確定（算出）する。図１１は、ＡＣＴ８のより具体的処理のフローチャートを示す。
【００５７】
すなわち、図１１のＡＣＴ８１では、ＡＣＴ３で記憶した１段階目の出力データとＡＣＴ６で記憶した２段階目の出力データとを読み出し、両出力データとを比較する。そして、１段階目の出力データと２段階目の出力データは反転しているかを判断する。
【００５８】
出力データが反転している場合（Ｙｅｓ）は、ＡＣＴ８２に移行し、１段階目の出力データをサイズ確定情報とし、ＡＣＴ８４に移行する。
【００５９】
出力データが反転していない場合（Ｎｏ）は、ＡＣＴ８３に移行し、１段階目および２段階目の出力データからサイズ確定情報を求め、ＡＣＴ８４に移行する。
【００６０】
ＡＣＴ８２またはＡＣＴ８３のサイズ確定情報に基づきＡＣＴ８４では、参照テーブルを参照し、ＡＣＴ８５に移行する。ＡＣＴ８５では、サイズを確定したかを判断する。サイズが確定できない場合（Ｎｏ）は、その旨を表示する（ＡＣＴ８６）。サイズが確定できた場合（Ｙｅｓ）は、サイズ検出動作を終了する。
【００６１】
ＡＣＴ１において、スタートスイッチがオンされた場合には、ＡＣＴ９へ移行する。
【００６２】
ＡＣＴ９では、開閉位置センサ１３がプラテンカバー１２の第１の位置を検出しているか否かを検出する。プラテンカバー１２の第１の位置を検出している場合、すなわちプラテンカバー１２が開いたままの場合は、ＡＣＴ１０に移行する。
【００６３】
ＡＣＴ１０では、ＡＣＴ３と同じように、１段階目の検出動作を実行する。１段階目の検出動作を実行した後、ＡＣＴ１１に移行する。
【００６４】
ＡＣＴ１１では、原稿サイズを確定する。すなわち、ＡＣＴ１０で記憶した１段階目の出力データをサイズ確定情報とする。この原稿サイズ確定情報に基づき、参照テーブルを参照してサイズを確定する。
【００６５】
図１２〜図１７は、１段階目における検出結果および２段階目における検出結果に基づき、制御部８２において原稿サイズを検出例について説明するための説明図である。
【００６６】
図１２〜図１７での原稿検出としては、原稿の厚みが通常用紙の場合とブックのように厚い場合、それに原稿の下地が白色系のものと黒色系あるいは濃色系のもの場合を区別して判断するようにした。なお、原稿サイズを検出するため前提として次の各項目を前提とした。
【００６７】
（１）プラテンカバーの色は白とする。  
（２）プラテンカバー１２が開のときのラインセンサ１０６は、その出力がある閾値よりも小さいところ（受光量が大きい、例えば黒でないところ）を原稿あり［１］と判断する。  
（３）プラテンカバー１２が閉じ途中のときのラインセンサ１０６は、その出力がある閾値よりも大きいところ（受光量が大きい、例えば白のところ）を原稿なし［０］」と判断し、その出力がある閾値よりも小さいところ（受光量が小さい、例えば白でないところ）を原稿あり［１］と判断する。  
（４）ラインセンサ１０６の判断結果は、プラテンカバー１２が開いているときと、閉じ途中のときのいずれかで判断された原稿あり［１］を優先してサイズ確定情報とする。ただし、プラテンカバー１２が開いているときと、閉じ途中のときとで、判断結果が反転している場合は、開いているときの判断結果を、サイズ確定情報とする。  
（５）位置センサＡＰＳは、プラテンカバー１２が開のときに、その出力がある閾値よりも小さいところ（受光量が小さい、例えば黒のところ）を原稿なし［０］と判断し、その出力が上記閾値よりも大きいところ（受光量が大きい、例えば黒でないところ）を原稿あり［１］と判断する。
【００６８】
以上の前提を踏まえ、図１２（ａ）の通常原稿で下地が白系例の場合について説明する。
【００６９】
１段階目の検出位置ＰＳ１〜ＰＳ５におけるラインセンサ１０６の検出結果は、［１１１００］で、位置センサＡＰＳの検出結果は［１］である。２段階目の検出位置ＰＳ１〜ＰＳ５におけるラインセンサ１０６の検出結果は［０００００］である。位置センサＡＰＳの検出結果は［検出なし］である。なお、検出なしとは、位置センサＡＰＳが設置されている位置で原稿を検出できなかったことを意味する。
【００７０】
この場合の制御部８２は、図１０のＡＣＴ８で、検出位置ＰＳ１〜ＰＳ５の検出結果が１段階目に対し２段階目は「反転しない」とする。制御部８２は、ＡＣＴ９で１段階目と２段階目の差をとる。サイズ確定情報としては、検出位置がＰＳ３の「Ａ５」又は「Ａ４−Ｒ」で、位置センサＡＰＳの位置に原稿が「あり」となる。図９に示すように、「Ａ５」又は「Ａ４−Ｒ」のうち、位置センサＡＰＳの位置に原稿ありの場合の原稿サイズとしては、「Ａ４−Ｒ」ということになる。
【００７１】
次に、図１２（ｂ）の通常原稿の下地が黒色系（又は濃色系）の場合について説明する。
【００７２】
１段階目の検出位置ＰＳ１〜ＰＳ５におけるラインセンサ１０６の検出結果は［０００００］で、位置センサＡＰＳの検出結果は［１］である。２段階目の検出位置ＰＳ１〜ＰＳ５におけるラインセンサ１０６の検出結果は［１１１００］で、位置センサＡＰＳの検出結果は［検出なし］である。
【００７３】
図１０のＡＣＴ８での判断として１段階目と２段階目は、「反転しない」であることから、ＡＣＴ９で１段階目と２段階目の差をとる。サイズ確定情報としては、図１２（ａ）と同じように、検出位置がＰＳ３の「Ａ５」又は「Ａ４−Ｒ」で、位置センサＡＰＳの位置に原稿が「あり」となる。図９に示すように、「Ａ５」又は「Ａ４−Ｒ」のうち、位置センサＡＰＳの位置に原稿ありの場合の原稿サイズとしては、「Ａ４−Ｒ」ということになる。
【００７４】
図１３（ａ）の通常原稿の下地が白色系の例について説明する。１段階目の検出位置ＰＳ１〜ＰＳ５における検出結果は［１１１１１］で、位置センサＡＰＳの検出結果は［０］である。２段階目の検出位置ＰＳ１〜ＰＳ５におけるラインセンサ１０６の検出結果は［０００００］で、位置センサＡＰＳの検出結果は［検出なし］である。
【００７５】
この場合、図１０ＡＣＴ８で２段階目の検出位置ＰＳ１〜ＰＳ５の検出結果の判断は「反転あり」となる。図１０ＡＣＴ１０では、１段階目の検出結果をサイズ確定情報とする。従って、サイズ確定情報としては、検出位置がＰＳ５の「Ａ４」又は「Ａ３」で、位置センサＡＰＳの位置に原稿が「なし」となる。図９に示すように、「Ａ４」又は「Ａ３」のうち、位置センサＡＰＳの位置に原稿なしの場合の原稿サイズとしては、「Ａ４」ということになる。
【００７６】
次に、図１３（ｂ）の通常原稿の下地が黒色系（又は濃色系）例の場合について説明する。
【００７７】
１段階目の検出位置ＰＳ１〜ＰＳ５における検出結果は［０００００］で、位置センサＡＰＳの検出結果は［０］である。２段階目の検出位置ＰＳ１〜ＰＳ５におけるラインセンサ１０６の検出結果は［１１１１１］で、位置センサＡＰＳの検出結果は［検出なし］である。
【００７８】
図１０ＡＣＴ８での判断として検出位置ＰＳ１〜ＰＳ５の検出結果は、１段階目と２段階目とでは「反転する」である。従って、図１０のＡＣＴ１０において、１段階目の検出結果をサイズ確定情報とする。１段階目の検出位置ＰＳ１〜ＰＳ５の検出結果は［０００００］である。サイズ確定情報としては、検出位置ＰＳ１〜ＰＳ５および位置センサＡＰＳともに検出ができない「判断付加」ということになる。この場合、図１０のＡＣＴ１３においてサイズが検出できない旨を、表示部８６から通知する。
【００７９】
図１４（ａ）の通常原稿の下地が白色系の場合の例は、１段階目の検出位置ＰＳ１〜ＰＳ５の検出結果が［１１１１０］、位置センサＡＰＳの検出結果が［１］である。２段階目の検出位置ＰＳ１〜ＰＳ５の検出結果は、［０００００］である。この検出結果は、１段階目に対し「反転しない」である。この場合は、図１０のＡＣＴ９で示すように、１段階目と２段階目の差となる。サイズ確定情報としては、検出位置ＰＳ１〜ＰＳ５の検出結果は［１１１１０］で、位置センサＡＰＳの検出結果は［１］である。従って、原稿サイズは、「Ｂ４」ということになる。
【００８０】
同様にして、図１４（ｂ）の通常原稿の下地が黒色系（又は濃色系）の場合は、１段階目の検出位置ＰＳ１〜ＰＳ５の検出結果が［０００００］、位置センサＡＰＳの検出結果が［１］である。２段階目の検出位置ＰＳ１〜ＰＳ５の検出結果は［１１１１０］で、位置センサＡＰＳの検出結果は［検出なし］である。図１０ＡＣＴ９で１段階目と２段階目の差をとり、サイズ確定情報としては検出位置ＰＳ１〜ＰＳ５の検出結果は［１１１１０］で、位置センサＡＰＳの検出結果は［１］である。従って、原稿サイズは、「Ｂ４」ということになる。
【００８１】
図１５（ａ）のブック原稿の下地が白色系の例について説明する。１段階目の検出位置ＰＳ１〜ＰＳ５におけるラインセンサ１０６の検出結果は［１１１００］で、位置センサＡＰＳの検出結果は［１］である。２段階目の検出位置ＰＳ１〜ＰＳ５におけるラインセンサ１０６の検出結果は［０００１１］で、位置センサＡＰＳの検出結果は［検出なし］である。
【００８２】
この場合の制御部８２は、図１０ＡＣＴ８で「反転する」と判断し、ＡＣＴ１０で１段階目の検出結果をサイズ確認情報とする。この結果、主走査方向の検出位置がＰＳ３の「Ａ５」又は「Ａ４−Ｒ」で、位置センサＡＰＳの位置に原稿が「あり」となる。図９に示すように、「Ａ５」又は「Ａ４−Ｒ」のうち、位置センサＡＰＳの位置に原稿ありの場合の原稿サイズとしては、「Ａ４−Ｒ」ということになる。
【００８３】
図１５（ｂ）のブック原稿の下地が黒色系（又は濃色系）場合の例は、１段階目の検出位置ＰＳ１〜ＰＳ５における検出結果は［０００００］で、位置センサＡＰＳの検出結果は［１］である。２段階目の検出位置ＰＳ１〜ＰＳ５におけるラインセンサ１０６の検出結果は［１１１１１］で、位置センサＡＰＳの検出結果は［検出なし］である。
【００８４】
１段階目と２段階目は、「反転する」ことから、１段階目の検出結果をサイズ確定情報とする。１段階目の検出位置ＰＳ１〜ＰＳ５の検出結果は［０００００］である。従って、サイズ確定情報としては、検出位置ＰＳ１〜ＰＳ５の検出結果がないことから、「判断付加」ということになる。この場合、サイズが検出できない旨を、表示部８６から通知する。
【００８５】
図１６（ａ）のブック原稿の下地が白色系の例について説明する。１段階目の検出位置ＰＳ１〜ＰＳ５の検出結果は［１１１１１］で、位置センサＡＰＳの検出結果は［０］である。２段階目の検出位置ＰＳ１〜ＰＳ５の検出結果は［０００００］で、位置センサＡＰＳの検出結果は［検出なし］である。
【００８６】
この場合の制御部８２は、２段階目が１段階目に対し「反転する」と判断し、１段階目の検出結果をサイズ確認情報とする。この結果、主走査方向の検出位置はＰＳ５の「Ａ４」又は「Ａ３」となるが位置センサＡＰＳの位置に原稿が「なし」となる。従って、サイズ確定情報としては、「Ａ４」ということになる。
【００８７】
図１６（ｂ）のブック原稿の下地が黒色系（又は濃色系）の場合は、１段階目の検出位置ＰＳ１〜ＰＳ５の検出結果は［０００００］で、位置センサＡＰＳの検出結果は［１］である。２段階目の検出位置ＰＳ１〜ＰＳ５の検出結果は［１１１１１］で、位置センサＡＰＳの検出結果は［検出なし］である。
【００８８】
この場合の制御部８２は、２段階目が１段階目に対し「反転する」と判断し、１段階目の検出結果をサイズ確認情報とする。この結果、主走査方向の検出位置の検出結果は、［０００００］となる。主走査方向のサイズ確定情報がないことから、「判断付加」ということになる。この場合、原稿サイズが検出できない旨を、表示部８６から通知する。
【００８９】
図１７（ａ）のブック原稿の下地が白色系の例について説明する。１段階目の検出位置ＰＳ１〜ＰＳ５の検出結果は［１１１１０］で、位置センサＡＰＳの検出結果は［０］である。２段階目の検出位置ＰＳ１〜ＰＳ５の検出結果は［００００１］で、位置センサＡＰＳの検出結果は［検出なし］である。
【００９０】
この場合の制御部８２は、２段階目が１段階目に対し「反転する」と判断し、１段階目の検出結果をサイズ確認情報とする。この結果、主走査方向の検出位置はＰＳ４の「Ｂ５」又は「Ｂ４」となるが位置センサＡＰＳの位置に原稿が「あり」となる。従って、サイズ確定情報としては、「Ｂ４」ということになる。
【００９１】
図１７（ｂ）のブック原稿の下地が黒色系（又は濃色系）の場合は、１段階目の検出位置ＰＳ１〜ＰＳ５の検出結果は［０００００］で、位置センサＡＰＳの検出結果は［１］である。２段階目の検出位置ＰＳ１〜ＰＳ５の検出結果は［１１１１１］で、位置センサＡＰＳの検出結果は［検出なし］である。
【００９２】
この場合の制御部８２は、２段階目が１段階目に対し「反転する」と判断し、１段階目の検出結果をサイズ確認情報とする。この結果、主走査方向の検出位置の検出結果は、［０００００］となる。主走査方向のサイズ確定情報がないことから、「判断付加」ということになる。この場合、原稿サイズが検出できない旨を、表示部８６から通知する。
【００９３】
このように、主走査方向の原稿サイズはラインセンサで行い、副走査方向の原稿サイズは共通の位置センサで異なる原稿サイズの検出が可能となる。また、プラテンカバーを開けたときと閉じ途中とを分けた情報から原稿サイズのサイズ確定情報を得るようにした。これにより、通常原稿の検出は勿論のこと、ブックなどの厚い原稿に対しても例外を除き原稿サイズ検出が可能となる。
【００９４】
上記した例で通常原稿で原稿サイズの検出ができない場合は、原稿がＡ４で下地が黒色系の場合である。また、ブック原稿でサイズ検出ができない場合は、原稿がＡ４−Ｒ，Ａ４，Ｂ４でいずれも下地が黒色系の場合である。他の場合は原稿サイズの検出が可能である。また、原稿サイズが検出できない場合でも、表示器を通して検出不可情報を使用者に通知することができ、使用者はその情報を得てマニュアル操作でスムースな選定が可能となる。
【００９５】
この実施形態では、原稿サイズ検出の際に、プラテンカバーの開と閉じ途中の状態での主走査方向の検出位置情報を１段階目と２段階目に分けてラインセンサで読み取り、それぞれの検出結果に基づき、１段階目とするか１および２段階目の差をとるかを判断するようにした。これにより、一部の例外を除き、ハード的な構成を変えることなく、下地が黒色系の場合の原稿や厚い原稿のサイズの検出も可能となる。
【００９６】
（第２の実施形態）
次に、原稿読取装置にかかる第２の実施形態について説明する。
【００９７】
この実施形態では、２段階目の検出時において、開閉位置センサ１３がプラテンカバー１２の閉じ途中状態と検出した場合、厚手の原稿であると、判断するようにしたものである。そして２段階目での開閉位置センサ１３の出力が閉じ途中との判断をした場合は、１段階目の検出結果を、原稿サイズの情報として確定するようにした。
【００９８】
この実施形態の場合にも、原稿サイズ検出の際に、プラテンカバー位置の開閉状態での信号を、ラインセンサで読み取り、プラテンカバーの開いている状態の検出結果と、プラテンカバーが閉じ途中の状態の検出結果を組み合わせて原稿サイズを検出するようにした。これにより、ハード変更や工数を伴うことなく、確実に原稿サイズを検出することが可能となる。
【００９９】
上記した実施形態に限定されるものではない。例えば検出ができなかった場合は、表示部を介して使用者に通知するようにしたが、音声による通知でもよいし、表示で音声を併用してもよい。
【０１００】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【０１０１】
１００  デジタル複写機
１０  スキャナ
５０  プリンタ
１１  コンタクトガラス
１２  プラテンカバー
１３  開閉位置センサ
１３３  シャッター部
１３３ａ  第１のシャッター
１３３ｂ  第２のシャッター
１３４  回動部材
１３５  第１のフォトインタラプタ
１３６  第２のフォトインタラプタ
８２  制御部
Ｄ  原稿
ＰＳ１〜ＰＳ５  検出位置
ＡＰＳ  位置センサ
【図１】
0005632439.tif 000002
【図２】
0005632439.tif 000003
【図３】
0005632439.tif 000004
【図４】
0005632439.tif 000005
【図５】
0005632439.tif 000006
【図６】
0005632439.tif 000007
【図７】
0005632439.tif 000008
【図８】
0005632439.tif 000009
【図９】
0005632439.tif 000010
【図１０】
0005632439.tif 000011
【図１１】
0005632439.tif 000012
【図１２】
0005632439.tif 000013
【図１３】
0005632439.tif 000014
【図１４】
0005632439.tif 000015
【図１５】
0005632439.tif 000016
【図１６】
0005632439.tif 000017
【図１７】
0005632439.tif 000018